(57)【要約】【課題】電気―機械振動変換器を従来のものとは全く異なる機構により、軽量かつ簡略化した構成のものとし、人体への装着も可能な振動提示装置として提供する。【解決手段】伝動部材１１０１と制御装置１１３０とからなる振動提示装置１１００であって、前記伝動部材１１０１は、側部を振動提示対象の周囲の一部に当接させ、又は、その周囲に巻き廻し、前記伝動部材１１０１に所定の張力を与えると共に、前記所定の張力を振動提示用信号に基づいた駆動信号に基づいて変動させることで、前記伝動部材１１０１を介して振動提示対象に振動を伝達するようにした。【選択図】図１１
2017038405.tif 000002
【特許請求の範囲】
【請求項１】
伝動部材と制御装置とからなる振動提示装置であって、
前記伝動部材は、側部を振動提示対象の周囲の一部に当接させ、又は、その周囲に巻き廻し、
前記伝動部材に所定の張力を与えると共に、前記所定の張力を振動提示用信号に基づいた駆動信号に基づいて変動させることで、
前記伝動部材を介して振動提示対象に振動を伝達することを特徴とする振動提示装置。
【請求項２】
前記伝動部材は、前記伝動部材の一方の端部が接続される第１の保持体と、前記伝動部材の他の一方の端部が接続される第２の保持体とを有し、
前記第１の保持体には、前記伝動部材に張力を与える第１の駆動機構が設けられ、
前記第１の駆動機構には、前記振動提示用信号に基づいた駆動信号が入力され、前記第１の駆動機構が駆動することにより、前記伝動部材に前記所定の張力を与えると共に、前記所定の張力を前記駆動信号に基づいて変動させる請求項１に記載の振動提示装置。
【請求項３】
前記第１の駆動機構は少なくとも２つ以上の駆動機構を含む請求項２に記載の振動提示装置。
【請求項４】
前記２つ以上の駆動機構のうち１つの駆動機構は、前記伝動部材に前記所定の張力を発生させ、他の駆動機構は前記所定の張力を前記駆動信号に基づいて変動させる請求項３に記載の振動提示装置。
【請求項５】
前記第１の駆動機構は、第１のボビンと前記第１のボビンが接続された第１の電動モータとから構成され、
前記第１のボビンには前記伝動部材の一方の端部が接続され、前記第１の電動モータを駆動させることにより、前記伝動部材の一方の端部を前記第１のボビンに巻き取り及び巻き戻しを行うことによって牽引して、前記伝動部材に前記所定の張力を発生させると共に、前記所定の張力を前記駆動信号に基づいて変動させることで、前記伝動部材を介して前記振動提示対象に振動を伝達する請求項２乃至４のいずれか１項に記載の振動提示装置。
【請求項６】
前記第２の保持体には、前記伝動部材に張力を与える第２の駆動機構が設けられ、
前記第１の駆動機構と前記第２の駆動機構とには、振動提示用信号に基づいた駆動信号が入力され、前記第１の駆動機構と前記第２の駆動機構とは連動して駆動することにより、前記伝動部材に所定の張力を与えると共に、前記所定の張力を前記駆動信号に基づいて変動させることで、前記伝動部材を介して前記振動提示対象に振動を伝達する請求項２乃至５のいずれか１項に記載の振動提示装置。
【請求項７】
前記第２の駆動機構は少なくとも２つ以上の駆動機構を含む請求項６に記載の振動提示装置。
【請求項８】
前記２つ以上の駆動機構のうち１つの駆動機構は、前記伝動部材に前記所定の張力を発生させ、他の駆動機構は前記所定の張力を前記駆動信号に基づいて変動させる請求項７に記載の振動提示装置。
【請求項９】
前記第２の駆動機構は、第２のボビンと前記第２のボビンが接続された第２の電動モータとから構成され、前記第２のボビンには前記伝動部材の他の一方の端部が接続され、
前記第１の電動モータと前記第２の電動モータとには、振動提示用信号に基づいた駆動信号が入力され、前記第１の電動モータと前記第２の電動モータとは連動して駆動することにより、前記伝動部材の両端を前記第１のボビンと前記第２のボビンとにより巻き取り及び巻き戻しを行うことによって、前記伝動部材を所定の張力により牽引すると共に、前記所定の張力を前記駆動信号に基づいて変動させることで、前記伝動部材を介して前記振動提示対象に振動を伝達する請求項６乃至８のいずれか１項に記載の振動提示装置。
【請求項１０】
前記駆動機構は、モータ、ゼンマイ、ボイスコイル、スピーカ、バネ、コイルばね、圧電材料、導電性高分子アクチュエータ等の駆動部品又はこれらの組み合わせと、ボビン、プーリ、ギヤ、ウォームギヤ等の動力伝達部品又はこれらの組み合わせとから構成される、請求項２乃至４又は請求項６乃至８のいずれか１項に記載の振動提示装置。
【請求項１１】
前記伝動部材は、線状、帯状、若しくは網状の形態を有する素材、又は、これらの形態を有する素材の組み合わせにより構成される請求項１乃至１０のいずれか１項に記載の振動提示装置。
【請求項１２】
前記伝動部材は前記伝動部材の両端から内側の位置に接続部を有し、
前記接続部は、前記接続部を構成する接続具により、
前記伝動部材を分離又は接続が可能に構成される請求項１乃至１１のいずれか１項に記載の振動提示装置。
【請求項１３】
前記接続具は、前記伝動部材の一方に設けたフック部材と、前記伝動部材の他の一方に設けた前記フック部材と係合する輪状部材とからなる請求項１２に記載される振動提示装置。
【請求項１４】
前記伝動部材は、前記伝動部材の両端から内側に引き込み機構を有し、
前記引き込み機構は、前記駆動機構に代え又は前記駆動機構と共に、前記伝動部材を前記引き込み機構内部に巻き込むことにより前記伝動部材に前記所定の張力を発生させる、請求項１乃至１３に記載の振動提示装置。
【請求項１５】
前記第１の保持体と前記第２の保持体とは、相互に連結可能に構成される請求項２乃至１４のいずれか１項に記載の振動提示装置。
【請求項１６】
前記伝動部材は、前記伝動部材の両端を保持する単一の保持体を有し、
前記保持体には、前記伝動部材に張力を与える駆動機構が設けられ、
前記駆動機構には、振動提示用信号に基づいた駆動信号が入力され、前記駆動機構が駆動することにより、前記伝動部材に所定の張力を与えると共に、前記所定の張力を前記駆動信号に基づいて変動させる請求項１に記載の振動提示装置。
【請求項１７】
前記駆動機構は少なくとも２つ以上の駆動機構を含む請求項１６に記載の振動提示装置。
【請求項１８】
前記２つ以上の駆動機構のうち１つの駆動機構は、前記伝動部材に前記所定の張力を発生させ、他の駆動機構は前記所定の張力を前記駆動信号に基づいて変動させる請求項１７に記載の振動提示装置。
【請求項１９】
前記駆動機構は、モータ、ゼンマイ、ボイスコイル、スピーカ、バネ、コイルばね、圧電材料、導電性高分子アクチュエータ等の駆動部品又はこれらの組み合わせと、ボビン、プーリ、ギヤ、ウォームギヤ等の動力伝達部品又はこれらの組み合わせとから構成される、請求項１６乃至１８のいずれか１項に記載の振動提示装置。
【請求項２０】
前記駆動機構は２つのボビンと電動モータとからなり、
前記２つのボビンは前記電動モータの回転軸に接続され、
前記伝動部材の両端は前記２つのボビンにそれぞれ異なる方向から前記電動モータの回転により巻き取り又は巻き戻し可能に接続され、
前記電動モータには、振動提示用信号に基づいた駆動信号が入力され、前記電動モータが駆動することにより、前記伝動部材の両端を前記２つのボビンの廻りにそれぞれ巻き取り及び巻き戻しを行うことによって所定の張力により牽引すると共に、前記所定の張力を前記駆動信号に基づいて変動させることで、前記伝動部材を介して前記振動提示対象に振動を伝達する請求項１６に記載の振動提示装置。
【請求項２１】
前記伝動部材は、線状、帯状、若しくは網状の形態を有する素材、又は、これらの形態を有する素材の組み合わせにより構成される請求項１６乃至２０のいずれか１項に記載の振動提示装置。
【請求項２２】
前記伝動部材は前記伝動部材の両端から内側の位置に接続部を有し、
前記接続部は、前記接続部を構成する接続具により、
前記伝動部材を分離又は接続が可能に構成される請求項１６乃至２１のいずれか１項に記載の振動提示装置。
【請求項２３】
前記接続具は、前記伝動部材の一方に設けたフック部材と、前記伝動部材の他の一方に設けた前記フック部材に係合する輪状部材とからなる請求項２２に記載される振動提示装置。
【請求項２４】
前記伝動部材は、前記伝動部材の両端から内側に引き込み機構を有し、
前記引き込み機構は、前記駆動機構に代え又は前記駆動機構と共に、前記伝動部材を前記引き込み機構内部に巻き込むことにより前記伝動部材に前記所定の張力を発生させる、請求項１６乃至２３のいずれか１項に記載の振動提示装置。
【請求項２５】
請求項１５に記載の振動提示装置の使用方法であって、
前記振動提示対象は使用者であり、前記伝動部材を、使用者の着衣の上から前記使用者の体の一部を取り囲むように少なくとも一周させて巻き廻し、前記第１の保持体と前記第２の保持体とを前記使用者の体の一部の周りのいずれかの位置で連結し、
前記連結後に、前記振動提示装置を駆動することにより、前記使用者に前記振動提示用信号に基づく振動を体感させることを特徴とする振動提示装置の使用方法。
【請求項２６】
前記使用者の体の一部は、胸部、腰部、肩から腰にかけての斜めの部位、又は、これらの組み合わせである請求項２５に記載の振動提示装置の使用方法。
【請求項２７】
前記第１の保持体と前記第２の保持体とを連結する位置は、前記使用者の前側である請求項２５又は２６に記載の振動提示装置の使用方法。
【請求項２８】
請求項１又は１６乃至２４のいずれか１項に記載の振動提示装置の使用方法であって、
前記振動提示対象は使用者であり、前記伝動部材を、使用者の着衣の上から、前記使用者の体の一部を取り囲むように少なくとも一周させて巻き廻し、
前記巻き廻し後に、前記振動提示装置を駆動することにより、前記使用者に前記振動提示用信号に基づく振動を体感させることを特徴とする振動提示装置の使用方法。
【発明の詳細な説明】
【技術分野】
【０００１】
本発明は、糸などの伝動部材とモータ等の駆動機構とを利用した、身体への装着も可能な振動提示装置に関し、更に詳細には、例えば、モータに糸を巻いたボビンを取付け、糸を使用者の体に巻きつけた後にモータの動力等により一定の張力で保持し、その張力をモータ等で変動させることにより振動を使用者の体に伝えることが可能な振動提示装置及び振動提示装置の使用方法に関するものである。
【背景技術】
【０００２】
音楽や映画の鑑賞などの際には、一般的には、音響情報の再生のために、スピーカ等が用いられる。こうしたスピーカでは、可聴域の周波数の音響情報の再生が可能であるが、周波数領域が２０Ｈｚから２００Ｈｚ程度の低周波数領域の音の再生（空気振動）を効率よく行うためには、大型のスピーカが必要となっていた。【０００３】
一方、上記のような低周波数領域の音の知覚には、聴覚だけでなく、全身の体性感覚が寄与する場合もあり、特にヘッドホンなどによる音楽聴取においては、こうした体性感覚を併用することで、臨場感が高まるといわれている。【０００４】
そのため、近年では、従来の聴覚刺激による音響信号の提示に代え又はこれに加えて、体性感覚を介して音響信号を提示する体感音響を利用するシステムが開発されている。【０００５】
そして、上記体感音響を利用するシステムには、例えば、音と同時に音楽の低音成分などを、骨振動や体幹乃至体躯に対する振動などにより、使用者に音響振動を体感させることで、音楽に対する臨場感を高めようとするシステムなどが存在する。【０００６】
上記のような体感音響システムには、例えば、空気を振動させて音を生じさせる代わりに、特開平７−３２３０６８号公報（特許文献１）に開示されている電気―機械振動変換器のような、電気信号を機械的な振動に変換する変換器などが用いられている。【０００７】
上記特許文献１に記載された技術では、図１４（Ａ）に側断面図で示されるように、電気−機械振動変換器１の筐体２として、人体程度の荷重に耐え得る剛性を持つ弾性材を用いており、この筐体２内に、ダンパ３を介してヨーク４と磁石５からなる磁気回路６を遊嵌させ、ヨーク４の磁気的空隙に臨ませたコイル７の支持体８を筐体２に取付けて、コイル７に入力した電気信号が磁気的作用により機械的運動に変換されて、筐体２が振動するように構成されている。【０００８】
そして、こうした変換器を用いた例として、例えば、特開２００１−２１２１９８号公報（特許文献２）に開示されたリラクゼーション用椅子のように、椅子に座った使用者に対して、振動の伝達を行うものや、特開平８−１１６５８１号公報（特許文献３）に開示された装着型体感振動装置などが知られている。【０００９】
ここで、上記特許文献２には、図１４（Ｂ）に斜視図を示したように、音響信号をリラクゼーション用振動音に変換する複数個の振動部材１０を有するリラクゼーション用椅子１１が記載されており、上記特許文献３には、図１４（Ｃ）に斜視図を示したように、装着型体感振動装置１２を、肩当て１４と腰当て１３とを距離調節可能なベルトで接続し、該腰当て１３に腰ベルト１５を設けて人体に固定するハーネス型に形成し、肩当て１４および腰当て１３に、可聴域の音声を電気変換した音声信号に対しほぼ音声信号の波形に沿う振動を発生する電気―機械振動変換器１６を取付けた、装着型体感振動装置が記載されている。
【先行技術文献】
【特許文献】
【００１０】
【特許文献１】特開平７−３２３０６８号公報
【特許文献２】特開２００１−２１２１９８号公報
【特許文献３】特開平８−１１６５８１号公報
【発明の概要】
【発明が解決しようとする課題】
【００１１】
上記特許文献１に開示されたような、電気信号を機械的な振動に変換する変換器は、一般的にはボイスコイル（或いは、トランスデューサ）などと呼称されるが、上記ボイスコイルは、磁石とコイルとを用いたスピーカと類似するような基本構造を有している。そのため、低周波数領域の音響を効率的に機械振動（音響振動）に変換するためには大型化する必要があることから、必然的に重量が増大し、小型軽量化が困難であるという課題があった。【００１２】
そのため、その使用方法も、上記特許文献２に記載されているような、椅子などの大型で重い家具などを筐体として利用するものが中心となり、これらの応用製品は、大型であるが故に、使用できる場所や場面が限定されるという課題があった。【００１３】
加えて、上記のように椅子等に電気―機械振動変換器を設置した振動提示装置の場合には、原理的に、使用者の姿勢や動作等の自由度を大幅に制限しており、上記椅子に使用者が体を押し付けて座らなければ、上記音響振動の体感ができないため、上記椅子から離れた途端に、振動提示による臨場感が喪失してしまうという課題があった。【００１４】
また、上記特許文献３に記載された技術では、上述のように、上記電気―機械振動変換器をハーネス型に形成した装着型体感振動装置に取り付けて使用者に振動を提示するものが開示されている。【００１５】
そして、上記特許文献３に記載された技術は、体感振動装置を使用者が装着可能に構成していることから、使用者の姿勢や動作等の自由度は、上記特許文献２に記載された技術よりは向上している。【００１６】
しかし、上記特許文献３に記載された技術では、上記のように重量の大きい電気―機械振動変換器を装着する必要が有り、しかも、上記電気―機械振動変換器により音響振動を伝達できる範囲が、上記電気―機械振動変換器の周辺に限られるため、使用者に対して効果的な音響振動を提示するためには、これらを複数個装着して使用者に押し付ける必要があり、使用者に対する負荷が増大するという課題が有った。【００１７】
そこで、本発明は上記課題の解決を目的とするものであり、上記電気―機械振動変換器を従来のものとは全く異なる機構により、軽量かつ簡略化した構成のものとし、人体への装着も可能な振動提示装置として提供すると共に、これを用いた振動提示装置の使用方法を提供することを課題とする。
【課題を解決するための手段】
【００１８】
上記課題を解決するために本発明は、伝動部材と制御装置とからなる振動提示装置であって、前記伝動部材は、側部を振動提示対象の周囲の一部に当接させ、又は、その周囲に巻き廻し、前記伝動部材に所定の張力を与えると共に、前記所定の張力を振動提示用信号に基づいた駆動信号に基づいて変動させることで、前記伝動部材を介して振動提示対象に振動を伝達することを特徴とする振動提示装置を提供する。【００１９】
また、上記課題の解決は、前記伝動部材は、前記伝動部材の一方の端部が接続される第１の保持体と、前記伝動部材の他の一方の端部が接続される第２の保持体とを有し、前記第１の保持体には、前記伝動部材に張力を与える第１の駆動機構が設けられ、前記第１の駆動機構には、前記振動提示用信号に基づいた駆動信号が入力され、前記第１の駆動機構が駆動することにより、前記伝動部材に前記所定の張力を与えると共に、前記所定の張力を前記駆動信号に基づいて変動させることにより、或いは、前記第１の駆動機構は少なくとも２つ以上の駆動機構を含むことにより、或いは、前記２つ以上の駆動機構のうち１つの駆動機構は、前記伝動部材に前記所定の張力を発生させ、他の駆動機構は前記所定の張力を前記駆動信号に基づいて変動させることにより、より効果的に解決する。【００２０】
また、上記課題の解決は、前記第１の駆動機構は、第１のボビンと前記第１のボビンが接続された第１の電動モータとから構成され、前記第１のボビンには前記伝動部材の一方の端部が接続され、前記第１の電動モータを駆動させることにより、前記伝動部材の一方の端部を前記第１のボビンに巻き取り及び巻き戻しを行うことによって牽引して、前記伝動部材に前記所定の張力を発生させると共に、前記所定の張力を前記駆動信号に基づいて変動させることで、前記伝動部材を介して前記振動提示対象に振動を伝達することにより、或いは、前記第２の保持体には、前記伝動部材に張力を与える第２の駆動機構が設けられ、前記第１の駆動機構と前記第２の駆動機構とには、振動提示用信号に基づいた駆動信号が入力され、前記第１の駆動機構と前記第２の駆動機構とは連動して駆動することにより、前記伝動部材に所定の張力を与えると共に、前記所定の張力を前記駆動信号に基づいて変動させることで、前記伝動部材を介して前記振動提示対象に振動を伝達することにより、或いは、前記第２の駆動機構は少なくとも２つ以上の駆動機構を含むことにより、或いは、前記２つ以上の駆動機構のうち１つの駆動機構は、前記伝動部材に前記所定の張力を発生させ、他の駆動機構は前記所定の張力を前記駆動信号に基づいて変動させることにより、或いは、前記第２の駆動機構は、第２のボビンと前記第２のボビンが接続された第２の電動モータとから構成され、前記第２のボビンには前記伝動部材の他の一方の端部が接続され、前記第１の電動モータと前記第２の電動モータとには、振動提示用信号に基づいた駆動信号が入力され、前記第１の電動モータと前記第２の電動モータとは連動して駆動することにより、前記伝動部材の両端を前記第１のボビンと前記第２のボビンとにより巻き取り及び巻き戻しを行うことによって、前記伝動部材を所定の張力により牽引すると共に、前記所定の張力を前記駆動信号に基づいて変動させることで、前記伝動部材を介して前記振動提示対象に振動を伝達することにより、或いは、前記駆動機構は、モータ、ゼンマイ、ボイスコイル、スピーカ、バネ、コイルばね、圧電材料、導電性高分子アクチュエータ等の駆動部品又はこれらの組み合わせと、ボビン、プーリ、ギヤ、ウォームギヤ等の動力伝達部品又はこれらの組み合わせとから構成されることにより、或いは、前記伝動部材は、線状、帯状、若しくは網状の形態を有する素材、又は、これらの形態を有する素材の組み合わせにより構成されることにより、或いは、前記伝動部材は前記伝動部材の両端から内側の位置に接続部を有し、前記接続部は、前記接続部を構成する接続具により、前記伝動部材を分離又は接続が可能に構成されることにより、或いは、前記接続具は、前記伝動部材の一方に設けたフック部材と、前記伝動部材の他の一方に設けた前記フック部材と係合する輪状部材とからなることにより、或いは、前記伝動部材は、前記伝動部材の両端から内側に引き込み機構を有し、前記引き込み機構は、前記駆動機構に代え又は前記駆動機構と共に、前記伝動部材を前記引き込み機構内部に巻き込むことにより前記伝動部材に前記所定の張力を発生させることにより、或いは、前記第１の保持体と前記第２の保持体とは、相互に連結可能に構成されることにより、より効果的に達成される。【００２１】
また、上記課題の解決のために本発明は、前記伝動部材は、前記伝動部材の両端を保持する単一の保持体を有し、前記保持体には、前記伝動部材に張力を与える駆動機構が設けられ、前記駆動機構には、振動提示用信号に基づいた駆動信号が入力され、前記駆動機構が駆動することにより、前記伝動部材に所定の張力を与えると共に、前記所定の張力を前記駆動信号に基づいて変動させることで前記伝動部材を介して前記振動提示対象に振動を提示することを特徴とする振動提示装置を提供する。【００２２】
また、上記課題の解決は、前記駆動機構は少なくとも２つ以上の駆動機構を含むことにより、或いは、前記２つ以上の駆動機構のうち１つの駆動機構は、前記伝動部材に前記所定の張力を発生させ、他の駆動機構は前記所定の張力を前記駆動信号に基づいて変動させることにより、或いは、前記駆動機構は、モータ、ゼンマイ、ボイスコイル、スピーカ、バネ、コイルばね、圧電材料、導電性高分子アクチュエータ等の駆動部品又はこれらの組み合わせと、ボビン、プーリ、ギヤ、ウォームギヤ等の動力伝達部品又はこれらの組み合わせとから構成されることにより、より効果的に達成される。【００２３】
また、上記課題の解決は、前記駆動機構は２つのボビンと電動モータとからなり、前記２つのボビンは前記電動モータの回転軸に接続され、前記伝動部材の両端は前記２つのボビンにそれぞれ異なる方向から前記電動モータの回転により巻き取り又は巻き戻し可能に接続され、前記電動モータには、振動提示用信号に基づいた駆動信号が入力され、前記電動モータが駆動することにより、前記伝動部材の両端を前記２つのボビンの廻りにそれぞれ巻き取り及び巻き戻しを行うことによって所定の張力により牽引すると共に、前記所定の張力を前記駆動信号に基づいて変動させることで、前記伝動部材を介して前記振動提示対象に振動を伝達することにより、或いは、前記伝動部材は、線状、帯状、若しくは網状の形態を有する素材、又は、これらの形態を有する素材の組み合わせにより構成されることにより、或いは、前記伝動部材は前記伝動部材の両端から内側の位置に接続部を有し、前記接続部は、前記接続部を構成する接続具により、前記伝動部材を分離又は接続が可能に構成されることにより、或いは、前記接続具は、前記伝動部材の一方に設けたフック部材と、前記伝動部材の他の一方に設けた前記フック部材に係合する輪状部材とからなることにより、或いは、前記伝動部材は、前記伝動部材の両端から内側に引き込み機構を有し、前記引き込み機構は、前記駆動機構に代え又は前記駆動機構と共に、前記伝動部材を前記引き込み機構内部に巻き込むことにより前記伝動部材に前記所定の張力を発生させることにより、より効果的に達成される。【００２４】
また、上記課題の解決のために本発明は、上記第１の保持体と第２の保持体とを備える振動提示装置の使用方法であって、前記振動提示対象は使用者であり、前記伝動部材を、使用者の着衣の上から前記使用者の体の一部を取り囲むように少なくとも一周させて巻き廻し、前記第１の保持体と前記第２の保持体とを前記使用者の体の一部の周りのいずれかの位置で連結し、前記連結後に、前記振動提示装置を駆動することにより、前記使用者に前記振動提示用信号に基づく振動を体感させることを特徴とする振動提示装置の使用方法を提供する。【００２５】
また、上記課題の解決は、前記使用者の体の一部は、胸部、腰部、肩から腰にかけての斜めの部位、又は、これらの組み合わせであることにより、或いは、前記第１の保持体と前記第２の保持体とを連結する位置は、前記使用者の前側であることにより、より効果的に達成される。【００２６】
また、上記課題の解決のために本発明は、前記伝動部材単体又は前記伝動部材の両端を単一の保持体を備える振動提示装置の使用方法であって、前記振動提示対象は使用者であり、前記伝動部材を、使用者の着衣の上から、前記使用者の体の一部を取り囲むように少なくとも一周させて巻き廻し、前記巻き廻し後に、前記振動提示装置を駆動することにより、前記使用者に前記振動提示用信号に基づく振動を体感させることを特徴とする振動提示装置の使用方法を提供する。
【発明の効果】
【００２７】
上記の様な構成からなる本発明の振動提示装置によれば、糸等の伝動部材そのもの、或いは糸等の伝動部材とモータ等の駆動機構とを用いて、振動提示対象に振動を提示することが可能である。そのため、従来の電気―機械振動変換器よりも軽量且つコンパクトに振動の提示が可能であり、更に、上記糸等の伝動部材を使用することにより、広範囲の領域への振動の伝搬が可能である。【００２８】
また、更に、本発明の振動提示装置では、上記糸等の伝動部材の張力により使用者等の振動提示対象に振動を伝達する方法を採用することが可能である。そのため、軽量且つコンパクトな装着型振動提示装置を提供することが可能であり、上記使用者の胸部等の周りに上記糸等の伝動部材を巻きつけた場合には、上記使用者の胸部等の周りの広範囲の領域に振動を伝達し、上記胸部等の周りの領域を介して、ホールなどでの音楽聴取と同様の感覚を使用者に提示することが可能である。
【図面の簡単な説明】
【００２９】
【図１】本発明の実施形態を図示したものであり、図１（Ａ）は、本発明の概略の外観構成を示す斜視図であり、図１（Ｂ）は本発明の使用例を示した斜視図である。
【図２】本発明による、伝動部材の張力とその変調の時間変化を示す図である。
【図３】本発明による振動提示の原理の概略を模式的に図示したものであり、図３（Ａ）は伝動部材を振動提示対象の周囲を巻き廻さずに当接した場合を示す上面図、図３（Ｂ）は伝動部材を振動提示対象の周囲に巻き廻した上で、第１の保持体と第２の保持体とを連結した場合を示す上面図、図３（Ｃ）は伝動部材を振動提示対象の周囲に完全に１回巻き廻した上で、第１の保持体と第２の保持体とを連結した場合を示す上面図である。
【図４】本発明の実施形態である振動提示装置１００を示す図であり、図４（Ａ）は一部に透視図を含む斜視図、図４（Ｂ）はモータ部分の構成例を示す斜視図、図４（Ｃ）、（Ｄ）はモータとボビンと線状部材との関係を示す側面図である。
【図５】本発明の実施形態の制御系の構成例を示す構成図である。
【図６】駆動機構としてゼンマイと電動モータとボビンとを設ける構成を採用した構成例を図示したものであり、図６（Ａ）は上面図、図６（Ｂ）は側面図である。
【図７】駆動機構としてゼンマイとボビンとボイスコイルとを設ける構成を採用した構成例の概略を示す側面図である。
【図８】本発明による実施形態である振動提示装置１００の使用方法の流れを示したフローチャートである。
【図９】伝動部材を分離可能にして、その両端を、単一の保持体によって保持するように形成した構成例を示したものであり、図９（Ａ）はその斜視図、図９（Ｂ）は上記構成例の駆動機構を構成する２つのボビンカバーを外すと共に、上記伝動部材の接続部の接続を外した状態を示す側面図、図９（Ｃ）は、上記伝動部材が、上記保持体に設けられた電動モータの回転軸に接続される２つのボビンへ接続される際の状態の概念を示す上面図である。
【図１０】本発明による実施形態である振動提示装置１０００を図示した斜視図である。
【図１１】本発明による実施形態である振動提示装置１１００を図示したものであり、（Ａ）は、伝動部材をベルト状に形成した場合の本装置の実施形態１１００の構成の概略を示す平面図、（Ｂ）は（Ａ）に記載したベルトをベルトアジャスタを介して一巻した例を示す斜視図、（Ｃ）は（Ａ）・（Ｂ）の場合と異なり、ベルトの母材に伝動部材を断続的に埋め込んでこれを相互に電気的に接続した例を示す平面図である。
【図１２】本発明による実施形態である振動提示装置１１００の使用方法の流れを示したフローチャートである。
【図１３】本発明による実施形態である振動提示装置１３００を図示したものであり、（Ａ）は、引き込み機構に伝動部材を引き込んだ場合の構成の概略を示す平面図、（Ｂ）は（Ａ）に記載した構成例において引き込み機構から伝動部材を引き出した上で２つの保持体を結合した場合の状態を示す斜視図である。
【図１４】従来技術の例を示す図であり、図１４（Ａ）は電気―機械振動変換器の従来例を示す側断面図、図１４（Ｂ）は電気−機械振動変換器を椅子に使用した場合を例示する斜視図、図１４（Ｃ）は電気−機械振動変換器を装着可能に構成した例を示す斜視図である。
【発明を実施するための形態】
【００３０】
以下に、本発明の実施形態について、図面に基づいて説明する。なお、上記図面においては、同一又は類似する構造又は機能を有する部材については、同一又は類似する記号乃至番号を付している場合が有り、共通の部材や要素については一部の表示や説明を省略する場合が有る。また、各構成要素や各構成要素間の大きさ乃至比率などについても、実際のものとは表示が異なる場合が有る。
【００３１】
最初に、図１から図３までを参照して、本発明の実施形態の構成の概略と本発明の振動提示の原理とについて説明する。
【００３２】
上記図１は、本発明の実施形態を図示したものであり、図１（Ａ）は、本発明の実施形態に係る振動提示装置１００の概略の外観構成を示す斜視図であり、図１（Ｂ）は本発明の上記実施形態に係る振動提示装置１００の使用例を示した斜視図である。
【００３３】
本発明の上記実施形態に係る振動提示装置１００は、図１にその概略を示したように、伸縮率の小さい糸により構成される伝動部材１０１と、前記伝動部材１０１の一方の端部が接続される第１の保持体１１０と、前記伝動部材１０１の他の一方の端部が接続される第２の保持体１２０とを有している。なお、ここで、上記保持体１１０と１２０とは共に連結部を有しており、これを用いて相互に連結した状態となっている。
【００３４】
また、上記第１の保持体１１０と、上記第２の保持体１２０とには、後に詳述するように、駆動機構として、電動モータとボビンと、これらの制御装置及びバッテリ（電池）、並びに、外部からの振動提示用信号としての音響信号等の入力コネクタなどが設けられており、上記糸などの伝動部材１０１は、上記電動モータ等の駆動機構により、上記駆動機構を構成するボビンの廻りに巻き取りと巻き戻しとが可能なように構成されている。
【００３５】
なお、ここで、上記巻き取りとは、上記電動モータの回転等により上記伝動部材を上記ボビンの軸の廻りに巻き回していくことをいい、巻き戻しとは、上記のように巻き回した伝動部材を上記電動モータの回転乃至トルク等を緩めて、上記巻き回しを解除する方向に作用させることを指している。
【００３６】
そして、本発明では、例えば、上記伝動部材１０１を上記２つの電動モータ等の駆動機構により牽引して一定の張力を維持した上で、その張力に音響振動等に相当する変調を加えて、振動提示対象である使用者等に音響振動等の振動の提示を行うように構成されている。
【００３７】
すなわち、本装置の使用者は、例えば、最初に、図１（Ｂ）に記載したように、本振動提示装置１００の伝動部材１０１を、前記使用者の着衣の上から、前記使用者の胸部等を取り囲むように一周させて、前記第１の保持体１１０と前記第２の保持体１２０とを前記使用者の前側等で連結させる。
【００３８】
そして、そのように上記２つの保持体（１１０，１２０）を連結した後に、前記振動提示装置１００を駆動することにより、前記伝動部材１０１を前記使用者の胸部等の周りに一定の張力で保持し、その後に、前記使用者が別途装着した携帯型音楽再生装置ＷＭなどからの音響信号Ｓ等の振動提示用の信号を上記装置１００に入力する。
【００３９】
そうすると、上記携帯型音楽再生装置ＷＭなどから入力された音響信号Ｓ等の振動提示用の信号は、本装置１００の制御装置により上記保持体（１１０，１２０）に備えられた電動モータ等の駆動力に変換して伝達され、上記電動モータにより、上記使用者の胸部等の周りに巻き廻された伝動部材１０１の巻き取りと巻き戻しとが行われ、それが、上記使用者の胸部等の周りの張力の変動として、上記使用者に伝達され、上記使用者は上記張力の変動を音響振動等の変動として感得することが可能となっている。
【００４０】
そのため、上記使用者は、上記携帯型音楽再生装置ＷＭなどからヘッドホンＨＰ等を通して聴覚により音楽等を聴取できると共に、上記振動提示装置１００の伝動部材１０１を通じて、音響振動等の振動として、上記音楽等を体感することが可能である。
【００４１】
そして、上記のような張力変動による振動の提示は、例えば、図２及び図３、並びに、次に記載するような原理に基づいて行われる。
【００４２】
ここで、上記図２は、本発明の振動提示装置による伝動部材の張力とその変調の時間変化を示す図であり、上記図３は、本発明による振動提示の原理の概略を模式的に図示したものであって、図３（Ａ）は伝動部材１０１を振動提示対象Ｏの周囲を巻き廻さずに当接した場合を示す上面図、図３（Ｂ）は伝動部材１０１を振動提示対象Ｏの周囲に巻き廻した上で、第１の保持体と第２の保持体とを連結した場合を示す上面図、図３（Ｃ）は伝動部材１０１を振動提示対象Ｏの周囲に完全に１回巻き廻した上で、第１の保持体と第２の保持体とを連結した場合を示す上面図である。（なお、後述するように、本発明を単一の保持体から構成する実施形態を採用した場合には、上記図３（Ｂ）、（Ｃ）において上記２つの保持体を連結した構成に相当する。）
本装置１００の構成例では、上述したように、上記伝動部材１０１を上記２つの保持体（１１０，１２０）の間で巻き取り乃至巻き戻しを行うことで牽引し、その牽引の強度を調整することにより上記伝動部材１０１にかかる張力を変動させることが可能である。
【００４３】
すなわち、本発明の振動提示装置１００によれば、上記図２で示したように、上記伝動部材１０１を上記保持体（１１０，１２０）の間で、一定の張力（保持張力）Ｔｃで牽引しつつ、音響信号Ｓ等による変動を重畳して、上記張力Ｔｃを変調させ、その結果として上記音響信号Ｓ等が重畳された変動する張力Ｔｓとして、上記振動提示対象Ｏに伝達することが可能である。（なお、ここで、上記図２のうち、縦軸は張力（Ｔ）、横軸は時間（ｔ）を示している。）
これを更に具体的に説明すると、上記伝動部材１０１を図３（Ａ）に示すように、使用者等の振動提示対象Ｏの周囲に別途補助部材ＡＭ等を介して、振動提示対象Ｏの周囲を巻き廻さずに振動提示対象Ｏに当接したり、或いは、図３（Ｂ）に示すように、伝動部材１０１を振動提示対象Ｏの周囲に巻き廻した上で第１の保持体と第２の保持体とを連結したり、図３（Ｃ）に示すように、伝動部材１０１を振動提示対象Ｏの周囲に完全に１回巻き廻した上で第１の保持体と第２の保持体とを連結した場合などでは、上記伝動部材１０１を牽引して保持張力Ｔｃを加えると、上記振動提示対象Ｏへは、上記振動提示対象Ｏの周縁から内側方向へ向かう力として伝達される。
【００４４】
そして、上記保持張力Ｔｃを外部から入力される音響信号Ｓ等に基づいて変動させると、上記張力の変動Ｔｓが、上記振動提示対象Ｏに対して、上記振動提示対象Ｏの外側面から内側方向へ向かう力の変動として伝達される。
【００４５】
そうすると、上記内側方向へ向かう力の変動に対応して、上記振動提示対象Ｏの周縁で、上記図３の（Ａ）乃至（Ｃ）の各図において鎖線で示した矢印のように、上記周縁を内側方向へ向かわせる動きと外側方向へ向かわせる動きとが生ずる。これは、上記振動提示対象Ｏが上記内側方向への力に抗する効力を有しているためである。
【００４６】
そして、上記振動対象Ｏの廻り、すなわち、上記伝動部材１０１が当接乃至巻き廻された領域において、上記内外方向へ向かわせる動きが生ずる結果として、上記振動提示対象Ｏに振動が生ずることになり、上記振動により、振動提示対象Ｏへの振動提示が果たされ、本振動提示装置１００の機能が発揮されることになる。
【００４７】
以上が本振動提示装置の振動提示の原理であるが、本発明では、上記のような振動発生の原理に基づくために、振動提示対象Ｏは、上記伝動部材１０１による当接乃至巻回しに対し、上記のように上記内側方向への力に対して抗力を有することにより、上記伝動部材１０１に対して張力を生じさせるものであることが必要である。
【００４８】
そのため、上記振動提示対象Ｏが人である使用者の場合には、体幹が抗力を有するために、上記使用者の胸部廻りに、上記伝動部材１０１を当接乃至巻き廻すことにより、上記使用者の胸郭が上記伝動部材１０１の張力変動に呼応して、上記胸郭に上記胸郭を内側方向へ向かわせる動きと外側方向へ向かわせる動きが生じ、これにより、使用者に対して音響振動等を提示することが可能となる。
【００４９】
また、本発明では、上記のような振動発生の原理に基づくために、上記伝動部材１０１は、上記振動提示対象Ｏを取り囲む領域が多いほど効果的な振動提示が可能であり、上記振動提示対象Ｏを上記伝動部材１０１により囲繞する構成を採用することが、より一層効果的である。
【００５０】
そのため、上記図３（Ａ）に示したように、上記振動提示対象Ｏの周囲を巻き廻さずに、上記振動提示対象の一部に当接した場合であっても振動の提示は可能ではあるが、上記図３（Ｂ）に示したように、上記伝動部材１０１を振動提示対象Ｏの周囲に閉曲線を構成するように巻き廻した上で、第１の保持体と第２の保持体とを連結して、上記保持体を振動提示対象Ｏの表面側に配置した方が効果的であり、更に、上記図３（Ｃ）に示したように、上記伝動部材１０１を振動提示対象Ｏの周囲に完全に１回巻き廻した上で第１の保持体と第２の保持体とを連結して、上記保持体を振動提示対象Ｏの表面側に配置した方が更に効果的である。
【００５１】
なお、本装置では、上記のように伝動部材１０１に保持張力Ｔｃと変動張力Ｔｓとを生じさせれば振動の提示が可能である。そのため、上記のように２つの保持体を相互に連結させる必要は必ずしも存在しないが、上記のように連結させることで、携帯性を向上させ取り扱いの容易性を図ることが可能である。また、本発明では、上記のように２つの保持体を用いず、後述するように、単一の保持体を使用する構成を採用することも可能であり、その場合には、上記伝動部材を中央部分などから分離と接続を可能として構成し、更に一層、携帯性と取扱いの容易性等を向上させることも可能である。また、上記保持体は、本装置を使用する際には、上記伝動部材と共に、振動提示対象の側部に当接したり押し付けたりする構成とした方が効果的である。しかし、上記振動提示対象への使用態様によっては、必ずしも上記保持体を振動提示対象の側部に当接したり押し付けたりしなくても、効果的な振動提示が可能である。
【００５２】
次に、本発明の実施形態である振動提示装置１００の、更に具体的な構成例について、図４及び図５を参照して説明する。
【００５３】
ここで、上記図４は、本発明に係る実施形態である振動提示装置１００の具体的な構成例を図示したものであり、図４（Ａ）は一部に透視図を含む斜視図、図４（Ｂ）はモータ部分の構成例を示す斜視図、図４（Ｃ）、（Ｄ）はモータとボビンと伝動部材等との関係を示す側面図である。
【００５４】
本発明の上記振動提示装置１００は、上記図４に示したように、基本的には、線状の形状等からなる伝動部材１０１と、前記伝動部材１０１の一方の端部が接続される第１の保持体１１０と、前記伝動部材１０１の他の一方の端部が接続される第２の保持体１２０とを主要な構成要素として構成されている。
【００５５】
そして、上記第１の保持体１１０の外装には、電源スイッチＳＷ及びその動作ランプＬＥＤと、保持張力Ｔｃの調整ダイアルＶｃ、及び、上記第２の保持体に設けられたものと嵌合可能に構成されたコネクタ端子Ｃｔ及び連結部材Ｃｂとが設けられており、また、上記第２の保持体１２０の外装には、上記携帯音楽再生装置ＷＭ等からの音響情報等の入力コネクタＩｎと出力コネクタＯｕｔと、上記第１の保持体に設けられたものと嵌合可能に構成されたコネクタ端子Ｃｔ`及び連結部材Ｃｂ`（図示しない）とが設けられている。
【００５６】
なお、ここで、上記電源スイッチＳＷは、本装置の電源のオンオフを行うものであり、音響信号Ｓ等の入出力コネクタ（Ｉｎ、Ｏｕｔ）は、別途設けた携帯音楽再生装置ＷＭ等からの音響情報の入出力を行うものであり、コネクタ端子（Ｃｔ、Ｃｔ`）は上記２つの保持体（１１０．１２０）間で制御装置による制御信号等の入出力を行うものである。
【００５７】
上記構成要素のうち、伝動部材１０１は、本実施形態では線状の形状からなる部材である糸により構成されている。
【００５８】
そして、上記糸は、上述したように張力変動を振動提示対象Ｏに効果的に伝達する必要があることから、上記モータによる牽引が上記糸の変形に費やされることの無いように、例えば、高分子量ポリエチレン等からなるワイヤのように伸縮率が少ないものが望ましい。
【００５９】
また、本発明では、上記伝動部材１０１は、上述したように張力変動を振動提示対象Ｏに効果的に伝達できれば良いため、上記線状の部材に限らずに、帯状や網状の部材を用いても良く、また、例えば、上記線状の部材と帯状の部材等とを上記図４（Ｃ）や図４（Ｄ）に示したように、上記線状及び帯状又は網状の部材等を結合し、主として後述するボビン１２３に巻き廻わされる部分を線状部材１０１で構成し、主として振動提示対象Ｏに巻回し等を行う部分を帯状の部材１０１Ｂ又は網状の部材１０１Ｎ等で構成する事も可能である。なお、上記のように、帯状の部材１０１Ｂや網状の部材１０１Ｎを伝動部材として使用した場合には、上記線状の部材よりも、上記振動提示対象Ｏへの振動の伝達領域が拡大されるという効果を有する。
【００６０】
次に、上記構成要素のうち、上記第１の保持体１１０と第２の保持体１２０とは、上記伝動部材１０１の両端部をそれぞれ保持し、上記伝動部材１０１を上記両端部側から一定の張力Ｔｃで牽引しつつ、上記張力Ｔｃを音響信号Ｓ等により変調させて、変動張力Ｔｓを生じさせる基本機能を有するものである。
【００６１】
そのため、上記第１の保持体１１０には、第１のボビン１１３（図示しない）及び第１のボビンカバー１１３ｃ並びに第１の電動モータ１１５（図示しない）が設けられており、上記第２の保持体１２０には、第２のボビン１２３及び第２のボビンカバー１２３ｃ並びに第２の電動モータ１２５が設けられている。そして、更に、上記第１のボビン１１３と第２のボビン１２３とには、上記伝動部材１０１の両端がそれぞれ接続されており、上記２つの電動モータ（１１５，１２５）の回転により、上記ボビンを構成する軸の廻りに上記伝動部材の巻き取りと巻き戻しとが可能なように構成されている。
【００６２】
ここで、上記保持体（１１０，１２０）におけるモータ部分とボビン部分の基本構造は、第１の保持体と第２の保持体とで同様であるため、上記ボビン（１１３，１２３）及びボビンカバー（１１３ｃ，１２３ｃ）並びに電動モータ（１１５、１２５）の基本的な構造を上記第２の保持体１２０を用いて説明する。
【００６３】
上記第２の保持体１２０は、上記図４（Ａ）に一部透視図で示したように、上記第２の保持体１２０の片側寄りに、上記ボビン１２３と電動モータ１２５とを収納しており、上記ボビン１２３は更にボビンカバー１２３ｃにより外側から覆われている。
【００６４】
上記のうち、ボビン１２３は、図４（Ａ）乃至図４（Ｃ）に示したように、平行に設けられた２枚の円板と、それら上記２枚の円板を上記円板の中心で接続する軸とからなっており、上記軸には後述する電動モータ１２５の回転軸が上記回転軸の回転に併せて回転可能に形成されている。
【００６５】
そして、上記軸には、上記伝動部材１０１の一端が接続されており、上記電動モータ１２５の回転乃至回動により上記軸が回転乃至回動した場合には、上記軸の周りに上記伝動部材１０１が巻き取り乃至巻き戻し可能に形成されている。
【００６６】
また、上記ボビンカバー１２３ｃは、上記図４（Ａ）乃至図４（Ｂ）に示すように、全体的には底面が存在しない円筒形状に形成されており、上記円筒形状の上面と側面とから上記ボビン１２３を覆うことができるように構成されている。そして、上記円筒形状の側面には、上記伝動部材１０１を挿通させるための孔部１２３ｃｈが設けられている。
【００６７】
そして、上記ボビンカバー１２３ｃは、上記ボビン１２３を外側から覆うと共に、上記円筒形状の側面下部で、上記保持体１２０に設けられた円形の溝１２７に回動可能に取り付けられており、上記ボビンカバー１２３ｃの側面に設けられた孔部１２３ｃｈを挿通する伝動部材１０１が、上記ボビン１２３へ円滑に巻き取り巻き戻しが円滑に可能となるように誘導する機能を有している。
【００６８】
また、上記のうち電動モータ１２５は、上記電動モータを回転乃至回動させることにより上記ボビン１２３の軸を回転乃至回動させ、これを通じて、上記伝動部材１０１を上記ボビン１２３の軸の周りに巻き取り乃至巻き戻しを行い、上記伝動部材１０１に一定の張力Ｔｃを加えると同時に、上記張力を音響信号Ｓ等に基づいて変動させて、変動張力Ｔｓを発生させる機能を有している。
【００６９】
そのため、上記電動モータ１２５は、上記音響信号Ｓ等の変動に応じた変動張力Ｔｓを迅速に発生させることができるように、例えば、コアレスモータのような応答速度が速いものが用いられる。
【００７０】
また、本装置１００では、上記電動モータ１２５による上記伝動部材１０１の牽引により、初期張力（保持張力）Ｔｃ等を一定範囲の大きさで発生させて、これを保持する構成となっている。
【００７１】
そのため、本実施形態では、後述するように、上記電動モータ１２５に、予め保持張力Ｔｃとして生じさせたい牽引力を生じさせる電流を設定して投入しておき、それに対して、音響信号Ｓ等を重畳させる構成を採用している。
【００７２】
なお、上記電動モータ及びボビンの基本的な構造については、上述したように上記保持体で共通であるため、上述したような、第２の保持体１２０における電動モータ１２５とボビン１２３の構造は、第１の保持体１１０における電動モータ１１５とボビン１１３とについても基本的に同様である。
【００７３】
また、上記電動モータとボビンとは、本発明の駆動機構の構成例として例示したものである。そのため、本発明の駆動機構は上記のような構成に限られず、上記のように伝動部材を牽引等することに限定されずに、上記伝動部材に所定の保持張力Ｔｃを発生させ、これに変調を加えた変動張力Ｔｓを発生させることが可能なものであればどのような構成を採用しても構わない。したがって、例えば、後述するようなモータとゼンマイとを併用する構成や、モータ、ゼンマイ、ボイスコイル、スピーカ、バネ、コイルばね、圧電材料（例えば、ポリフッ化ビニリデン（ＰＶＤＦ）やポリ乳酸積層フィルム等）、導電性高分子アクチュエータ等の駆動部品又はこれらの組み合わせ等と、ボビン、プーリ、ギヤ、ウォームギヤ等の動力伝達部品又はこれらの組み合わせ等とから、上記駆動機構を構成することも可能である。
【００７４】
次に図４（Ａ）に戻って、上記第１の保持体１１０と第２の保持体１２０の構成について説明を続けると、上記図４（Ａ）に示した本発明の実施形態１００では、上記電動モータとボビン等の駆動機構に加えて、図示しない制御装置が設けられ、上記制御装置と電動モータ等の駆動機構に電力を供給する電源（電池）が収納されている。
【００７５】
このうち、上記制御装置は、上記電動モータ（１１５，１２５）の駆動を制御するものである。そのため、上記制御装置は、上記保持張力Ｔｃを上記電動モータ等の駆動機構の制御により上記伝動部材１０１を牽引することにより生じさせ、外部入力端子Ｉｎから入力した音響信号Ｓ等に応じて、上記保持張力Ｔｃに変動を加えて変動張力Ｔｓを生じさせる制御等を行う機能を有している。
【００７６】
ただし、上記制御装置は上記の構成に限らず、上記の機能を有していれば、別途異なる構成を採用することも可能である。
【００７７】
そのため、例えば、上記制御装置の代わりに音響信号Ｓ等をそのまま増幅するアンプを用いた、図５で示すような構成を採用することも可能である。ここで上記図５は、本発明の実施形態の制御系の構成例を示す構成図である。
【００７８】
上記図５で例示した構成例は、振動提示対象を使用者として、上記使用者の胸部周りに上記伝動部材としての糸を完全に１回巻き廻した上で、第１の保持体１１０と第２の保持体１２０とを上記使用者の前側で連結した構成を有している。
【００７９】
そして、ここでは、２つの電動モータ（１１５、１２５）は、上記２つの保持体（１１０，１２０）の中でそれぞれ、電池Ｂｔに接続されると共に、上記２つの保持体（１１０，１２０）に設けられたコネクタ（Ｃｔ−Ｃｔ`）が接続されることにより構成されるアンプＡｍｐに接続されている。
【００８０】
そして、上記の構成例では、上記電動モータは、上記電池Ｂｔからは一定の直流電流を受け取ることで保持張力Ｔｃを発生させており、上記アンプＡｍｐからは上記音響信号等に対応する変動した電流を入力することで、変動する張力Ｔｓを生じさせ、上記伝動部材１０１に振動を生じさせている。
【００８１】
したがって、上記のような構成によっても、本発明による振動の提示が可能である。
【００８２】
なお、本発明では、上記の構成と異なり、上記の電動モータ等の駆動機構を１つの保持体に複数設けることも可能であり、その場合には、図６や図７に例示したように、１つの駆動機構により上記伝動部材に上記所定の保持張力Ｔｃを発生させ、他の駆動機構により上記変動張力Ｔｓを生じさせる構成を採用することも可能である。
【００８３】
例えば、上記図６の例は、駆動機構としてゼンマイと電動モータとボビンとを設ける構成を採用し、上記ゼンマイにより上記所定の保持張力Ｔｃを発生させ、上記電動モータにより上記変動張力Ｔｓを生じさせる構成としたものである。
【００８４】
すなわち、ここで上記図６は、駆動機構としてゼンマイと電動モータとボビンとを設ける構成を採用した、構成例６０００を図示したものであり、図６（Ａ）は、その上面図を示し、図６（Ｂ）はその側面図を示している。そして、上記構成例６０００では、上記電動モータ６０５の軸Ｍｓにはボビン６０３とゼンマイＳｐが同軸に接続されており、上記ボビン６０３には、伝動部材６０１が、上記軸Ｍｓの回動に応じて巻き取りと巻き戻しとが可能に形成され、上記ゼンマイは固定部材Ｆｍにより上記保持体に固定されている。
【００８５】
このように構成された構成例６０００では、予め想定される振動提示対象の巻き廻し寸法などを考慮して、上記伝動部材６０１の長さを決定しておき、それに応じた巻き取り及び巻き戻しが可能なゼンマイＳｐを設けてこれを上記電動モータ６０５の軸Ｍｓに直接取付けることで、上記軸Ｍｓを回動させて、上記保持張力Ｔｃを発生させることが可能であり、上記変動張力Ｔｓについては、上記電動モータ６０５により発生させることが可能である。したがって、上記構成例６０００のような構成を採用した場合には、例えば、上記図５に関する構成例で記載した、電池Ｂｔから直流電流を印加して保持張力Ｔｃを発生させるような構成を採用する必要が無いため、省電力化が図れ、電池Ｂｔの寿命を伸ばし、上記電動モータの発熱等を抑制することが可能である。
【００８６】
また、上記図７の例は、駆動機構としてゼンマイとボビンとボイスコイル（又は他のトランスデューサ若しくはスピーカ等）とを設ける構成を採用し、上記ゼンマイにより上記所定の保持張力Ｔｃを発生させ、上記ボイスコイル（又は他のトランスデューサ若しくはスピーカ等）により上記変動張力Ｔｓを生じさせる構成としたものである。
【００８７】
すなわち、ここで上記図７の例は、駆動機構としてゼンマイとボビンとボイスコイル（又は他のトランスデューサ若しくはスピーカ等）とを設ける構成を採用した、構成例７０００を図示したものであり、図７は、その概略の側面図を示している。なお、本構成例の場合も上記ゼンマイやボビンなどの基本構成は上述した構成例６０００の場合と同様である。
【００８８】
上記構成例７０００の駆動機構は、上記の各構成要素が上記図７の主として左側を占める保持張力部と、上記図７の主として右側を占める変動張力部とにまとめて構成されている。そして、このうち、上記保持張力部は、ゼンマイＳｐとボビン７０３とこれらの筐体７０９とから構成されており、上記ゼンマイＳｐと上記ボビン７０３とは、上記ボビン７０３の中心軸上に配設される軸Ｐｓに同軸に接続されており、上記ボビン７０３には、伝動部材７０１が、上記軸Ｐｓの回動に応じて巻き取りと巻き戻しとが可能に形成され、更に、上記ゼンマイＳｐとボビン７０３とは保持張力部の筐体７０９に保持されており、上記筐体７０９は、後述する振動体Ｏｂと支持体Ｓｕｐとを介して、上記伝動部材７０１の接線方向（図７では左右方向）に振動可能に保持体に保持されている。また、上記変動張力部は、ボイスコイルＶＣ（又は他のトランスデューサ若しくはスピーカ等）により構成されており、上記ボイスコイル等は例えば、保持体に固定された磁石ＭＧと、上記保持張力部から延伸されて構成されコイルが巻かれた振動体Ｏｂと、上記コイルが巻かれた振動体Ｏｂを支持するための柔らかい支持体Ｓｕｐとから形成され、上記ボイスコイルＶＣ等には音響信号等が入力されるようになっている。
【００８９】
そのため、このように構成された構成例７０００では、上記保持張力部のゼンマイＳｐにより、上記ボビン７０３に上記伝動部材７０１を巻き取り乃至巻き戻しを行うことで、上記伝動部材７０１に保持張力を発生させることが可能であり、上記変動張力部により、上記ボイスコイルＶＣ等に入力された音響信号等に応じて、上記保持張力部のボビン７０３とゼンマイＳｐ全体を上記コイルが巻かれた振動体Ｏｂを上記図７の左右方向に相当する上記伝動部材７０１の接線方向に振動させることによって、上記伝動部材７０１に変動張力を発生させることが可能となっている。
【００９０】
なお、上記に例示したように、１つの駆動機構により上記伝動部材に上記所定の保持張力Ｔｃを発生させ、他の駆動機構により上記変動張力Ｔｓを生じさせる構成を採用する場合には、上記保持張力Ｔｃの発生を担う駆動機構には、必ずしも音響信号Ｓ等の入力は不要である。
【００９１】
図４に示した構成例に戻って説明を続けると、上記図４に示すような構成を有する本発明の振動提示装置１００は、次のように使用することにより、振動提示対象に振動提示を行うことが可能である。
【００９２】
すなわち、本発明では、例えば、図８でフローチャートを示したように、振動提示対象Ｏが人である使用者の場合には、最初に、上記使用者の着衣の上から、上記使用者の胸部を取り囲むように上記伝動部材１０１を少なくとも１周して巻き廻す（ステップＳ１）。なお、この際、上記伝動部材１０１が相互に重なり合うような場合であっても、上記伝動部材１０１にすべり性を有する素材を採用していれば、張力の変動の伝達自体に大きな影響は生じない。
【００９３】
そして、その後、上記伝動部材１０１の末端に形成された２つの保持体（１１０，１２０）を連結させ（ステップＳ２）、上記連結後に上記振動提示装置１００を駆動させて、上記胸部を一定の保持張力Ｔｃで保持する（ステップＳ３）。
【００９４】
そして、続いて、上記振動提示装置１００に音響信号Ｓ等を入力する（ステップＳ４）と、上記制御装置を介して、前記第１のモータ１１５と前記第２のモータ１２５とに、上記音響信号Ｓ等に基づいた駆動信号が入力され、それに応じて、前記第１の電動モータ１１５と前記第２のモータ１２５とは連動して駆動することにより、前記伝動部材１０１の両端について前記第１のボビン１１３と前記第２のボビン１２３とにより巻き取り及び巻き戻しが行われ（ステップＳ５）、前記所定の保持張力Ｔｃを前記駆動信号に基づいた変動張力Ｔｓとすること（ステップＳ６）で、前記伝動部材を介して前記振動提示対象に振動が伝達される。
【００９５】
なお、上述の例では、前記使用者の胸部を取り囲むように上記伝動部材１０１を少なくとも１周させて巻き廻してから上記２つの保持体を連結し、その後本装置の電源を入れてから駆動させているが、それに限らず、本装置１００の電源を入れて駆動させてから上記巻き廻しを行っても構わない。
【００９６】
また、上記のように、使用者の周囲に巻き廻す部位は、胸部に限らず、胴部乃至腹部又は腰部の例えばベルト等を締める位置や、左（又は右）肩から右（又は左）腰にかけての斜め方向に至る部位、若しくはこれらの複数であっても良く、上記複数の巻き廻しを行う場合には複数の上記振動提示装置を用いても良い。ただし、胃部周辺に巻き廻した場合には、不快感を生ずる場合が有るため、胃部周辺は避けることが望ましい。
【００９７】
以上のように、本発明による振動提示装置によれば、糸等の伝動部材とモータ等の駆動機構とを用いて振動提示対象に振動を提示することが可能である。そのため、従来の電気―機械振動変換器よりも軽量且つコンパクトに振動の提示が可能であり、更に、上記糸等の伝動部材を使用することにより、広範囲の領域への振動の伝搬が可能である。
【００９８】
また、更に、本振動提示装置では、上記糸等の伝動部材の張力により使用者等の振動提示対象に振動を伝達する方法を採用することが可能のため、軽量且つコンパクトな装着型振動提示装置を提供することが可能であり、上記使用者の胸部等の周りに上記糸等の伝動部材を巻きつけた場合には、上記使用者の胸部等の周りの広範囲の領域に振動を伝達し、上記胸部等の周りの領域を介して、ホールなどでの音楽聴取等と同様の感覚を使用者に提示することが可能である。
【００９９】
なお、本発明は、上述した実施形態に限られるものではなく、本発明の趣旨の範囲内で他の形態を採ることも可能である。
【０１００】
そのため、上述の実施形態では、変動張力Ｔｓは、音響信号Ｓに基づいて生成された例を主に記載しているが、振動提示用の信号に基づくものであれば、使用される信号は、必ずしも音響信号Ｓに限られるものではない。したがって、例えば、ゲームなどのプレーヤーに振動提示を行う場合には、ゲームの効果音や音楽などとは別に、振動提示用の信号として、触覚提示用の信号を用い、当該触覚提示用の信号に基づいて独立に生成された変動張力Ｔｓであっても構わない。
【０１０１】
また、例えば、上記のように、２つの保持体の双方に電動モータとボビンとを用いずに、一方の保持体のみに上記電動モータとボビンとを用いる構成を採用することも可能である。こうした構成によっても、上記伝動部材に張力を加えてこれを変動させることは可能だからである。
【０１０２】
また、上記実施形態では、上記保持体が２つから構成されるものについて説明したが、本発明では、例えば、図９に示したように、上記伝動部材を分離可能にして、分離前の伝動部材の両端を、単一の保持体によって保持するように形成したり、上記伝動部材の側部を、振動提示対象の周囲の一部に当接させ、又は、巻きつけた上で、上記単一の保持部材に設けた駆動機構により、上記伝動部材に保持張力Ｔｃと変動張力Ｔｓを発生させて、振動提示対象に振動を伝達する構成を採用したりすることも可能である。
【０１０３】
すなわち、上記図９は、上記の構成を有する実施形態である振動提示装置９０００を図示したものであり、上記図９（Ａ）はその斜視図、図９（Ｂ）は上記振動提示装置９０００の駆動機構を構成する２つのボビンカバーを外すと共に、上記伝動部材の接続部の接続を外した状態を示す側面図、図９（Ｃ）は、上記伝動部材が、上記保持体に設けられた駆動機構を構成する電動モータの回転軸に接続される２つのボビンへ接続される状態の概念を示す上面図である。
【０１０４】
上記振動提示装置９０００では、上記単一の保持体９００には、図９（Ａ）及び図９（Ｂ）に示すように、駆動機構として、２つのボビン９０３Ａ及び９０３Ｂと、電動モータ９０５とが設けられており、上記２つのボビン（９０３Ａ、９０３Ｂ）は上記電動モータ９０５の回転軸Ｍｃに同軸に、上下に並べて接続されている。
【０１０５】
そして、上記伝動部材１０１の両端は、図９（Ｃ）の上側の図面と下側の図面とにそれぞれ示すように、上記２つのボビン（９０３Ａ、９０３Ｂ）にそれぞれ異なる方向（すなわち、上記保持体９００の両側）から、それぞれのボビンカバー（９０３Ａｃ、９０３Ｂｃ）の孔部（９０３Ａｃｈ（図示しない）、９０３Ｂｃｈ）を通って接続され、上記電動モータ９０５の回動方向（例えば、上記図９（Ｃ）中の点線で表示した曲線による矢印の方向）に合わせて、上記伝動部材１０１の両端が上記２つのボビンに巻き取り（例えば、上記同様に点線で表示した直線による矢印方向への巻き取り）又は巻き戻し可能に接続されている。
【０１０６】
また、上記振動提示装置９０００では、更に上記伝動部材１０１は、これを２つの伝動部材（１０１α、１０１β）に分割できるように、略中央の位置（上記伝動部材１０１の両端から略等距離の位置）に接続部を設けており、上記接続部を構成する接続具として、上記伝動部材の一方１０１αに設けたフック部材αｆと、上記伝動部材の他の一方１０１βに設けた上記フック部材αｆと係合可能な輪状部材βｒを設けている。そのため、上記伝動部材１０１αと１０１βとは、上記接続部の上記接続具（αｆ、βｒ）により、分離と接続が可能に構成されている。
【０１０７】
そのため、上記のような構成を有する振動提示装置９０００を、例えば、振動提示対象である使用者に用いる場合には、基本的な使用方法は振動提示装置１００の場合と同様であるが、上記伝動部材（１０１α、１０１β）を、適宜、分離と接続とを行うことで、使用者の着衣の上から、上記使用者の体の一部（胸や胴乃至腰部（ベルトなどを締める位置）等）を取り囲むように少なくとも一周させて巻き廻し、上記巻き廻し後に、上記振動提示装置９０００を駆動することにより、上記使用者に上記音響信号等に基づく振動を体感させることが可能である。そして、上記のような構成を採用した場合には、単一の電動モータと２つのボビンとを用いることによる効率化と軽量化とを図ることも可能である。
【０１０８】
また、上記と異なる構成例として、２つの保持体から構成される本発明の振動提示装置を、例えば、図１０に示した実施形態である振動提示装置１０００のように、既存の椅子に適用することも可能である。
【０１０９】
上記図１０に記載した例は、本発明の振動提示装置１０００を、伝動部材１０１の両端に第１の保持体１０１０と第２の保持体１０２０とからなるものとし、上記保持体（１０１０，１０２０）は上記椅子に脱着可能に構成したものである。
【０１１０】
そのため、このような構成にすると、本装置を携帯可能に構成した場合であっても、椅子に座る際には、上記のような既存の椅子に上記保持体（１０１０，１０２０）を取付けて振動提示を行うことが可能である。したがって、リラクゼーションの局面や体感音響療法を行う際など、必ずしも体を動かす必要のない振動提示等の際にも、本発明を使用することにより、極めて容易に振動を提示することが可能である。
【０１１１】
なお、椅子に本発明による振動提示装置を設ける場合には、上記のように、伝動部材１０１の両端に第１の保持体１０１０と第２の保持体１０２０とを備えるものを、上記保持体（１０１０，１０２０）を上記椅子に脱着可能に構成するものに限られず、他の構成を採用することも可能である。
【０１１２】
そのため、例えば、上記伝動部材１０１を上記椅子の表面に配置して、張力変動を可能に構成していれば、保持体の数や、駆動機構の構成に拘らず振動提示対象に振動提示が可能である。
【０１１３】
そして、上記伝動部材や保持体、制御装置等は、上記椅子に脱着可能に構成せずに、予め作り付けておくことも可能であり、その場合には、例えば、劇場のシートなどにも用いる事が可能である。
【０１１４】
したがって、本発明によれば、上記に例示したような、伝動部材と保持体に設けた駆動機構との組み合わせにより、上記伝動部材に所定の張力（保持張力と変動張力）を生じさせ、極めて効率よく、振動提示対象への振動提示が可能である。
【０１１５】
また、本発明では、伝動部材自体が伸縮することにより、保持張力Ｔｃと変動張力Ｔｓの一方乃至双方を生じさせ、それによって振動提示を行う構成とすることも可能である。
【０１１６】
そのため、例えば、図１１に本発明の実施形態である振動提示装置１１００を示したように、それ自体で伸縮することにより振動提示が可能な伝動部材をベルト状に成型し、これを用いて振動提示を行うことも可能である。ここで、図１１の（Ａ）は、そのような伝動部材１１０１をベルト状に形成した場合の本振動提示装置１１００の構成の概略を示す平面図、（Ｂ）は（Ａ）に記載した伝動部材１１０１によるベルトを、ベルトアジャスタ１１１０を介して端部側を接続し一巻することで閉曲線状に構成した例を示す斜視図、（Ｃ）は（Ａ）・（Ｂ）の場合と異なり、ベルト１２７０の母材に伝動部材１２０１を断続的に埋め込んでこれを相互に電気的に接続した例を示す平面図である。
【０１１７】
本振動提示装置１１００の例は、図１１に示すように、全体的には伝動部材１１０１と伝動部材１１０１に設けられたベルトアジャスタ１１１０と、制御装置１１３０とから構成されている。
【０１１８】
そして、ここで用いられる伝動部材１１０１は、例えば、ピエゾ効果を用いる事により、伸縮可能な強誘電性のポリマーなどの圧電素材（例えば、ポリフッ化ビニリデン（ＰＶＤＦ）やポリ乳酸積層フィルム等）や導電性高分子アクチュエータなどである。こうした素材は、所定の電流を所定のタイミングで印加すること等により、その素材自体を伸縮させることが可能であるため、アクチュエータなどとして使用することが可能に構成されている。そこで、本振動提示装置１１００では、制御装置１１３０により上記所定の電流等をこうした素材による伝動部材１１０１に印加して、伝動部材１１０１の伸縮を行い、振動提示対象に変動張力Ｔｓを加えて振動提示を行うように構成されている。
【０１１９】
また、上記ベルトアジャスタ１１１０は、上記のようにベルト状に形成された伝動部材１１０１を振動提示対象に巻き廻して、保持するために用いられるものであり、一般的に用いられるベルトのバックルなどを用いる事も可能である。そのため、本振動提示装置１１００においては、振動提示対象が使用者である場合には、上記使用者がその胸部等に伝動部材１１０１を巻き廻してベルトアジャスタ１１１０により保持することで、保持張力Ｔｃを生じさせることが可能である。したがって、上記伝動部材１１０１については、音響情報等に基づいた変動張力Ｔｓのみを発生させれば、上記使用者に対して振動提示が可能なことになる。
【０１２０】
また、制御装置１１３０は、伝動部材１１０１に上記所定の電流等を印加することにより伝動部材１１０１を伸縮させるための制御を行う装置である。そのため、制御装置１１３０は伝動部材１１０１に電気的に接続されている他、内部には電池などの電源が内蔵されている。また、制御装置１１３０の外装には、上述した本発明による振動提示装置１００について記載した保持体１１０に設けられたと同様に、電源ＳＷや調整ダイアルなどが設けられている他、図１に示したような携帯型音楽再生装置ＷＭなどからの音響信号Ｓ等が入出力されるようになっている。
【０１２１】
そして、上記のように構成される振動提示装置１１００の場合には、本発明による振動提示は、上述した振動提示装置１００や９０００と同様に、例えば、図１２に示したフローチャートに沿って、次のように行われる。
【０１２２】
すなわち、本発明による実施形態である振動提示装置１１００の使用方法は、基本的には、図８に示したような振動提示装置１００の使用方法のフローチャートと同様である。しかし、本振動提示装置１１００の場合には伝動部材１１０１自体が伸縮機能を有しているために、上述した振動提示装置１００のような保持体を有さない点と、ベルト状に形成された伝動部材１１０１をベルトアジャスタ１１１０により振動提示対象の周りに巻き廻せば別途保持張力Ｔｃを加える必要が無い点、で異なっている。
【０１２３】
そのため、本実施形態による振動提示装置１１００を使用する場合には、図１２にフローチャートを示したように、振動提示対象Ｏが人である使用者の場合には、最初に、上記使用者の着衣の上から、上記使用者の胸部等を取り囲むように、伝動部材１１０１を少なくとも１周して巻き廻す（ステップＳ１０）。
【０１２４】
そして、この際、上記巻き廻した後には、伝動部材１１０１に備えたベルトアジャスタ１１１０を介して上記使用者の胸部等に保持する（ステップＳ２０）ことが可能である。そのため、上述した実施形態に係る振動提示装置１００のように、別途に保持張力Ｔｃを印加する必要はない。
【０１２５】
そして、続いて、振動提示装置１１００の制御装置１１３０に音響信号Ｓ等を入力する（ステップＳ３０）。そうすると、制御装置１１３０を介して、伝動部材１１０１に、音響信号Ｓ等に基づいた駆動信号が入力され、それに応じて、伝動部材１１０１がそれ自体で伸縮することにより、前記駆動信号に基づいた変動張力Ｔｓが発生し（ステップＳ４０）、それによって、伝動部材１１０１を介して前記振動提示対象に振動が伝達される。
【０１２６】
そのため、以上のような、伝動部材自体が伸縮機能を有する素材を用いる事によっても本発明の実施が可能である。なお、上記振動提示装置１１００の場合には伝動部材１１０１自体をベルト状に形成しているが、伝動部材自体が伸縮機能を有する素材を用いた場合の構成はこれに限られない。したがって、例えば、図１１（Ｂ）に示す本発明の実施形態である振動提示装置１２００のように、ベルトの母材１２７０を別途形成して、そこにベルトアジャスタ１２１０を設けると共に、ベルトの母材１２７０の中に、伝動部材自体として自己伸縮機能を有する素材１２０１を断続的に埋め込んで制御装置１２３０と電気的に接続する構成としても良い。
【０１２７】
そして、このような構成にした場合には、上記ベルトの母材１２７０に伝動部材１２０１自体の伸縮に応答して同様な伸縮を行なえる素材を用いる事により、ベルトの母材１２７０を介して伝動部材１２０１の伸縮を振動提示対象に伝動し、前記振動提示対象に振動を伝達することが可能である。
【０１２８】
また、本発明では、例えば、図１３に更に異なる実施形態である振動提示装置１３００を示したように、伝動部材１３０１の両端から内側に、伝動部材１３０１の引き込み機構１３０５を有する構成とし、上記引き込み機構１３０５は、上述したモータ等の駆動機構に代え、若しくは駆動機構と共に、伝動部材１３０１を上記引き込み機構１３０５の内部に引き込むことにより、伝動部材１３０１に所定の保持張力を発生させる構成とすることも可能である。なお、ここで図１３は、本発明の実施形態である振動提示装置１３００を図示したものであり、（Ａ）は、引き込み機構１３０５に伝動部材１３０１を引き込んだ場合の構成の概略を示す平面図、（Ｂ）は（Ａ）に記載した構成例において引き込み機構１３０５から伝動部材１３０１を引き出した上で２つの保持体（１３１０、１３２０）を結合した場合の状態を示す斜視図である。
【０１２９】
上記図１３に示す振動提示装置１３００は、外観上は、上述した本発明の振動提示装置１００に示したような第１の保持体１３１０と第１のボビンカバー１３１０ｃ、第２の保持体１３２０と第２のボビンカバー、及び第２の保持体に設けられた電源ＳＷ等から構成されているが、伝動部材１３０１の両端から内側に引き込み機構１３０５が設けられている点で異なっている。
【０１３０】
そして、上記引き込み機構１３０５は、引き込み機構１３０５の両端から伝導部材１３０１を内部に引き込んで、その内部に伝動部材１３０１を収納できるような機構が設けられており、その機構は、例えば、一般的に用いられるコードリールやリトラクタブルケーブルアダプタなどに用いられるゼンマイなどを利用した機構（例えば、特表２００２−５３６９４３号公報に開示されているコード・リトラクション・アセンブリ）を用いる事が可能である。
【０１３１】
そのため、上記引き込み機構１３０５を設けた場合には、引き込み機構１３０５により、伝動部材１３０１を所定の保持張力Ｔｃで保持することが可能であるため、上述した振動提示装置１００に示したような第１の保持体１３１０と、第２の保持体１３２０とを用いる場合であっても、上記引き込み機構１３０５を設けることにより、第１の保持体１３１０等に設けられたモータ等の駆動機構に代え、若しくは駆動機構と共に、伝動部材１３０１を上記引き込み機構１３０５の内部に引き込むことにより、伝動部材１３０１に所定の保持張力Ｔｃを発生させる構成とすることも可能である。
【０１３２】
したがって、その場合には、上記第１の保持体１３１０に設けられた駆動機構は専ら伝動部材１３０１に変動張力Ｔｓを生じさせるために用いられることになり、これにより振動提示対象に振動提示を行うことが可能となっている。
【０１３３】
なお、上記振動提示装置１３００の例では、２つの保持体（１３１０，１３２０）を使用する例を示したが、これに限らず、上述した振動提示装置９０００のように保持体が１つのものに用いる事なども可能であり、その場合には、上記実施形態９０００の駆動機構に代え、若しくはこれと共に、伝動部材に保持張力Ｔｃを生じさせることが可能である。
【０１３４】
また、上記引き込み機構１３０５を使用する場合には、上述のように、伝動部材１３０１を所定の保持張力Ｔｃで保持することが可能である。そのため、例えば、保持体の構成要素として記載した図１３（Ａ）・（Ｂ）の１３１３Ｃ、１３２３Ｃの部分について、図７に記載したような駆動機構７０００を用いる場合には、図７に記載したゼンマイＳｐの部分とボビン７０３及びボビンの回転軸Ｐｓとを削除し、伝動部材１３０１を筐体７０９に直接接続して、ボイスコイルＶＣからの変動張力Ｔｓによる振動提示を行うような構成とすることも可能である。
【符号の説明】
【０１３５】
１００  １０００  １１００  １３００  ９０００    振動提示装置
１０１  １０１α  １０１β  ７０１  １１０１  １３０１  伝動部材
１０１Ｂ        帯状の伝動部材
１０１Ｎ        網状の伝動部材
１１０  １０１０  第１の保持体
１１３          第１のボビン
１１３ｃ  １３１３ｃ      第１のボビンカバー
１１３ｃｈ      第１のボビンカバーの孔部
１１５          第１のモータ
１２０  １０２０  第２の保持体
１２３          第２のボビン
１２３ｃ  １３２３ｃ      第２のボビンカバー
１２３ｃｈ      第２のボビンカバーの孔部
１２５          第２のモータ
７０３  ９０３Ａ  ９０３Ｂ  ボビン
７０９          （保持張力部の）筐体
９００          保持体
９０３Ａｃ  ９０３Ｂｃ  ボビンカバー
９０３Ｂｃｈ    ボビンカバーの孔部
９０５          モータ
１１１０        ベルトアジャスタ
１１３０  １２３０  制御装置
１３０５        引き込み機構
Ｓ              音響信号
Ｔｃ            保持張力
Ｔｓ            変動張力
ＡＭ            補助部材
Ｏ              振動提示対象（使用者等）
ＷＭ            携帯型音楽再生装置
Ｖｃ            変動張力調整ダイアル
Ｃｂ            連結部材
Ｃｔ  Ｃｔ`      コネクタ
Ａｍｐ          アンプ
Ｂｔ            電池
Ｍｓ            モータ軸
Ｓｐ            ゼンマイ
Ｆｍ            固定部材
Ｐｓ            軸
ＶＣ            ボイスコイル
Ｏｂ            振動体
Ｓｕｐ          支持体
ＭＧ            磁石
【図１】
2017038405.tif 000003
【図２】
2017038405.tif 000004
【図３】
2017038405.tif 000005
【図４】
2017038405.tif 000006
【図５】
2017038405.tif 000007
【図６】
2017038405.tif 000008
【図７】
2017038405.tif 000009
【図８】
2017038405.tif 000010
【図９】
2017038405.tif 000011
【図１０】
2017038405.tif 000012
【図１１】
2017038405.tif 000013
【図１２】
2017038405.tif 000014
【図１３】
2017038405.tif 000015
【図１４】
2017038405.tif 000016
【手続補正書】
【提出日】平成29年1月20日(2017.1.20)
【手続補正１】
【補正対象書類名】特許請求の範囲
【補正対象項目名】全文
【補正方法】変更
【補正の内容】
【特許請求の範囲】
【請求項１】
伝動部材と制御装置とからなる振動提示装置であって、
前記伝動部材は、側部を振動提示対象の周囲の一部に当接させ、又は、その周囲に巻き廻し、
前記伝動部材は、前記伝動部材の一方の端部が接続される第１の保持体と、前記伝動部材の他の一方の端部が接続される第２の保持体とを有し、
前記第１の保持体には、前記伝動部材に張力を与える第１の駆動機構が設けられ、
前記第１の駆動機構は、第１のボビンと前記第１のボビンが接続された第１の電動モータとから構成され、
前記第１のボビンには前記伝動部材の一方の端部が接続され、前記第１の電動モータを駆動させることにより、前記伝動部材の一方の端部を前記第１のボビンに巻き取り及び巻き戻しを行うことによって牽引して、前記伝動部材に所定の張力を発生させると共に、
前記第１の駆動機構には、振動提示用信号に基づいた駆動信号が入力され、前記第１の駆動機構が駆動することにより、前記所定の張力を前記振動提示用信号に基づいた駆動信号に基づいて変動させることで、
前記伝動部材を介して振動提示対象に振動を伝達することを特徴とする振動提示装置。
【請求項２】
前記第１の駆動機構は、
前記第１のボビンと前記第１のボビンが接続された第１の電動モータとは異なる他の駆動機構をさらに含み、
前記他の駆動機構は前記所定の張力を発生させると共に、前記第１のボビンと前記第１のボビンが接続された第１の電動モータは、前記所定の張力を前記振動提示用信号に基づいた駆動信号に基づいて変動させる、
請求項１に記載の振動提示装置。
【請求項３】
前記第１の駆動機構は、
前記第１のボビンと前記第１のボビンが接続された第１の電動モータとは異なる他の駆動機構をさらに含み、
前記第１のボビンと前記第１のボビンが接続された第１の電動モータは前記所定の張力を発生させると共に、前記他の駆動機構は、前記所定の張力を前記振動提示用信号に基づいた駆動信号に基づいて変動させる、
請求項１に記載の振動提示装置。
【請求項４】
前記他の駆動機構は、モータ、ゼンマイ、ボイスコイル、スピーカ、バネ、コイルばね、圧電材料、導電性高分子アクチュエータ等の駆動部品又はこれらの組み合わせと、ボビン、プーリ、ギヤ、ウォームギヤ等の動力伝達部品又はこれらの組み合わせとから構成される、請求項２又は３に記載の振動提示装置。
【請求項５】
前記第２の保持体には、前記伝動部材に張力を与える第２の駆動機構が設けられ、
前記第１の駆動機構と前記第２の駆動機構とには、振動提示用信号に基づいた駆動信号が入力され、前記第１の駆動機構と前記第２の駆動機構とは連動して駆動することにより、前記伝動部材に所定の張力を与えると共に、前記所定の張力を前記駆動信号に基づいて変動させることで、前記伝動部材を介して前記振動提示対象に振動を伝達する請求項１乃至４のいずれか１項に記載の振動提示装置。
【請求項６】
前記第２の駆動機構は少なくとも２つ以上の駆動機構を含む請求項５に記載の振動提示装置。
【請求項７】
前記２つ以上の駆動機構のうち１つの駆動機構は、前記伝動部材に前記所定の張力を発生させ、他の駆動機構は前記所定の張力を前記駆動信号に基づいて変動させる請求項６に記載の振動提示装置。
【請求項８】
前記第２の駆動機構は、モータ、ゼンマイ、ボイスコイル、スピーカ、バネ、コイルばね、圧電材料、導電性高分子アクチュエータ等の駆動部品又はこれらの組み合わせと、ボビン、プーリ、ギヤ、ウォームギヤ等の動力伝達部品又はこれらの組み合わせとから構成される、請求項５乃至７のいずれか１項に記載の振動提示装置。
【請求項９】
前記第２の駆動機構は、ゼンマイとボイスコイルとボビンとから構成され、
前記ゼンマイは前記ボイスコイルに支持されると共に、前記ゼンマイの軸上には前記ボビンが接続され、
前記ボビンには前記伝動部材が巻き取り又は巻き戻し可能に接続され、
前記ゼンマイは前記ボビンを介して前記伝動部材を巻き取り又は巻き戻しすることによって牽引して、前記伝動部材に所定の張力を生じさせ、
前記ボイスコイルには振動提示用信号に基づいた駆動信号が入力される、請求項５乃至７のいずれか１項に記載の振動提示装置。
【請求項１０】
前記第２の駆動機構は、第２のボビンと前記第２のボビンが接続された第２の電動モータとから構成され、前記第２のボビンには前記伝動部材の他の一方の端部が接続され、
前記第１の電動モータと前記第２の電動モータとには、振動提示用信号に基づいた駆動信号が入力され、前記第１の電動モータと前記第２の電動モータとは連動して駆動することにより、前記伝動部材の両端を前記第１のボビンと前記第２のボビンとにより巻き取り及び巻き戻しを行うことによって、前記伝動部材を所定の張力により牽引すると共に、前記所定の張力を前記駆動信号に基づいて変動させることで、前記伝動部材を介して前記振動提示対象に振動を伝達する請求項５に記載の振動提示装置。
【請求項１１】
前記２つ以上の駆動機構のうち１つの駆動機構は、第２のボビンと前記第２のボビンが接続された第２の電動モータとから構成され、前記第２のボビンには前記伝動部材の他の一方の端部が接続され、
前記第１の電動モータと前記第２の電動モータとには、振動提示用信号に基づいた駆動信号が入力され、前記第１の電動モータと前記第２の電動モータとは連動して駆動することにより、前記伝動部材の両端を前記第１のボビンと前記第２のボビンとにより巻き取り及び巻き戻しを行うことによって、前記伝動部材を所定の張力により牽引すると共に、前記所定の張力を前記駆動信号に基づいて変動させることで、前記伝動部材を介して前記振動提示対象に振動を伝達する請求項６又は７に記載の振動提示装置。
【請求項１２】
伝動部材と制御装置とからなる振動提示装置であって、
前記伝動部材は、側部を振動提示対象の周囲の一部に当接させ、又は、その周囲に巻き廻し、
前記伝動部材は、前記伝動部材の一方の端部が接続される第１の保持体と、前記伝動部材の他の一方の端部が接続される第２の保持体とを有し、
前記第１の保持体には、前記伝動部材に張力を与える第１の駆動機構が設けられ、
前記第１の駆動機構は、ゼンマイとボイスコイルとボビンとから構成され、
前記ゼンマイは前記ボイスコイルに支持されると共に、前記ゼンマイの軸上には前記ボビンが接続され、
前記ボビンには前記伝動部材が巻き取り又は巻き戻し可能に接続され、
前記ゼンマイは前記ボビンを介して前記伝動部材を巻き取り又は巻き戻しすることによって牽引して、前記伝動部材に所定の張力を生じさせ、
前記ボイスコイルには振動提示用信号に基づいた駆動信号が入力され、
前記第１の駆動機構が駆動することにより、前記所定の張力を前記振動提示用信号に基づいた駆動信号に基づいて変動させることで、前記伝動部材を介して振動提示対象に振動を伝達することを特徴とする振動提示装置。
【請求項１３】
前記第２の保持体には、前記伝動部材に張力を与える第２の駆動機構が設けられ、
前記第１の駆動機構と前記第２の駆動機構とには、振動提示用信号に基づいた駆動信号が入力され、前記第１の駆動機構と前記第２の駆動機構とは連動して駆動することにより、前記伝動部材に所定の張力を与えると共に、前記所定の張力を前記駆動信号に基づいて変動させることで、前記伝動部材を介して前記振動提示対象に振動を伝達する請求項１２に記載の振動提示装置。
【請求項１４】
前記第２の駆動機構は、ゼンマイとボイスコイルとボビンとから構成され、
前記ゼンマイは前記ボイスコイルに支持されると共に、前記ゼンマイの軸上には前記ボビンが接続され、
前記ボビンには前記伝動部材が巻き取り又は巻き戻し可能に接続され、
前記ゼンマイは前記ボビンを介して前記伝動部材を巻き取り又は巻き戻しすることによって牽引して、前記伝動部材に所定の張力を生じさせ、
前記ボイスコイルには振動提示用信号に基づいた駆動信号が入力される、請求項１３に記載の振動提示装置。
【請求項１５】
前記伝動部材は、線状、帯状、若しくは網状の形態を有する素材、又は、これらの形態を有する素材の組み合わせにより構成される請求項１乃至１４のいずれか１項に記載の振動提示装置。
【請求項１６】
前記伝動部材は前記伝動部材の両端から内側の位置に接続部を有し、
前記接続部は、前記接続部を構成する接続具により、
前記伝動部材を分離又は接続が可能に構成される請求項１乃至１５のいずれか１項に記載の振動提示装置。
【請求項１７】
前記接続具は、前記伝動部材の一方に設けたフック部材と、前記伝動部材の他の一方に設けた前記フック部材と係合する輪状部材とからなる請求項１６に記載される振動提示装置。
【請求項１８】
前記伝動部材は、前記伝動部材の両端から内側に引き込み機構を有し、
前記引き込み機構は、前記駆動機構に代え又は前記駆動機構と共に、前記伝動部材を前記引き込み機構内部に巻き込むことにより前記伝動部材に前記所定の張力を発生させる、請求項１乃至１７のいずれか１項に記載の振動提示装置。
【請求項１９】
前記第１の保持体と前記第２の保持体とは、相互に連結可能に構成される請求項１乃至１８のいずれか１項に記載の振動提示装置。
【請求項２０】
伝動部材と制御装置とからなる振動提示装置であって、
前記伝動部材は、側部を振動提示対象の周囲の一部に当接させ、又は、その周囲に巻き廻し、
前記伝動部材は、前記伝動部材の両端を保持する単一の保持体を有し、
前記保持体には、前記伝動部材に張力を与える駆動機構が設けられ、
前記駆動機構は２つのボビンと電動モータとからなり、
前記２つのボビンは前記電動モータの回転軸に接続され、
前記伝動部材の両端は前記２つのボビンにそれぞれ異なる方向から前記電動モータの回転により巻き取り又は巻き戻し可能に接続され、
前記電動モータには、振動提示用信号に基づいた駆動信号が入力され、前記電動モータが駆動することにより、前記伝動部材の両端を前記２つのボビンの廻りにそれぞれ巻き取り及び巻き戻しを行うことによって所定の張力により牽引すると共に、前記所定の張力を前記駆動信号に基づいて変動させることで、前記伝動部材を介して前記振動提示対象に振動を伝達することを特徴とする振動提示装置。
【請求項２１】
前記駆動機構は前記２つのボビンと電動モータとからなる駆動機構とは異なる他の駆動機構をさらに含み、前記他の駆動機構は、前記所定の張力を発生させると共に、前記２つのボビンと電動モータとからなる駆動機構は、前記所定の張力を前記振動提示用信号に基づいた駆動信号に基づいて変動させる、請求項２０に記載の振動提示装置。
【請求項２２】
前記駆動機構は前記２つのボビンと電動モータとからなる駆動機構とは異なる他の駆動機構をさらに含み、前記２つのボビンと電動モータとからなる駆動機構は、前記所定の張力を発生させると共に、前記他の駆動機構は、前記所定の張力を前記振動提示用信号に基づいた駆動信号に基づいて変動させる、請求項２１に記載の振動提示装置。
【請求項２３】
前記他の駆動機構は、モータ、ゼンマイ、ボイスコイル、スピーカ、バネ、コイルばね、圧電材料、導電性高分子アクチュエータ等の駆動部品又はこれらの組み合わせと、ボビン、プーリ、ギヤ、ウォームギヤ等の動力伝達部品又はこれらの組み合わせとから構成される、請求項２１又は２２に記載の振動提示装置。
【請求項２４】
伝動部材と制御装置とからなる振動提示装置であって、
前記伝動部材は、側部を振動提示対象の周囲の一部に当接させ、又は、その周囲に巻き廻し、
前記伝動部材は、前記伝動部材の両端を保持する単一の保持体を有し、
前記保持体には、前記伝動部材に張力を与える駆動機構が設けられ、
前記駆動機構はゼンマイとボイスコイルとボビンとから構成され、
前記ゼンマイは前記ボイスコイルに支持されると共に、前記ゼンマイの軸上には前記ボビンが接続され、
前記ボビンには前記伝動部材が巻き取り又は巻き戻し可能に接続され、
前記ゼンマイは前記ボビンを介して前記伝動部材を巻き取り又は巻き戻しすることによって牽引して、前記伝動部材に所定の張力を生じさせ、
前記ボイスコイルには振動提示用信号に基づいた駆動信号が入力され、
前記第１の駆動機構が駆動することにより、前記所定の張力を前記振動提示用信号に基づいた駆動信号に基づいて変動させることで、
前記伝動部材を介して振動提示対象に振動を伝達することを特徴とする振動提示装置。
【請求項２５】
前記伝動部材は、線状、帯状、若しくは網状の形態を有する素材、又は、これらの形態を有する素材の組み合わせにより構成される請求項２０乃至２４のいずれか１項に記載の振動提示装置。
【請求項２６】
前記伝動部材は前記伝動部材の両端から内側の位置に接続部を有し、
前記接続部は、前記接続部を構成する接続具により、
前記伝動部材を分離又は接続が可能に構成される請求項２０乃至２５のいずれか１項に記載の振動提示装置。
【請求項２７】
前記接続具は、前記伝動部材の一方に設けたフック部材と、前記伝動部材の他の一方に設けた前記フック部材に係合する輪状部材とからなる請求項２６に記載される振動提示装置。
【請求項２８】
前記伝動部材は、前記伝動部材の両端から内側に引き込み機構を有し、
前記引き込み機構は、前記駆動機構に代え又は前記駆動機構と共に、前記伝動部材を前記引き込み機構内部に巻き込むことにより前記伝動部材に前記所定の張力を発生させる、請求項２０乃至２７のいずれか１項に記載の振動提示装置。
【請求項２９】
請求項１９に記載の振動提示装置の使用方法であって、
前記振動提示対象は使用者であり、前記伝動部材を、使用者の着衣の上から前記使用者の体の一部を取り囲むように少なくとも一周させて巻き廻し、前記第１の保持体と前記第２の保持体とを前記使用者の体の一部の周りのいずれかの位置で連結し、
前記連結後に、前記振動提示装置を駆動することにより、前記使用者に前記振動提示用信号に基づく振動を体感させることを特徴とする振動提示装置の使用方法。
【請求項３０】
前記使用者の体の一部は、胸部、腰部、肩から腰にかけての斜めの部位、又は、これらの組み合わせである請求項２９に記載の振動提示装置の使用方法。
【請求項３１】
前記第１の保持体と前記第２の保持体とを連結する位置は、前記使用者の前側である請求項２９又は３０に記載の振動提示装置の使用方法。
【請求項３２】
請求項２０乃至２６のいずれか１項に記載の振動提示装置の使用方法であって、
前記振動提示対象は使用者であり、前記伝動部材を、使用者の着衣の上から、前記使用者の体の一部を取り囲むように少なくとも一周させて巻き廻し、
前記巻き廻し後に、前記振動提示装置を駆動することにより、前記使用者に前記振動提示用信号に基づく振動を体感させることを特徴とする振動提示装置の使用方法。
【国際調査報告】
2017038405.tif 000017
2017038405.tif 000018
2017038405.tif 000019
2017038405.tif 000020